Podtech/llm-jp-corpus-v4-ja_patent huggingface dataset:
(57)【要約】      （修正有）【課題】ロッド（竿）にルアーがあらかじめ取り付いている場合、ルアーの釣り針による怪我や引っかかりを防止し、安全かつ迅速に脱着でき、かつ、ルアー単体を保護するルアー単体ケースを提供する。【解決手段】軽量で透明なプラスチック素材で、形状は２つ折りになっており、ルアー全体（釣り針を含む）を包み込むようにし、釣り糸を通す穴２と、つりを終えた後そのまま収納してもよいように水抜き穴３を設ける。ロッドは固定せず、容易に脱着できるように、ケースの止め箇所４は２つとし、プラスチックの凹凸を利用して止める。【選択図】図１
0003148785.tif 000002
【実用新案登録請求の範囲】
【請求項１】
釣り竿（ロッド）の釣り糸にルアーを取り付けた状態のままで、本考案はルアー全体を保護する。
【請求項２】
釣りが終わった後のことも考え、濡れたままでもすぐに片づけられることができるように水抜き穴を２つ設けた。
【請求項３】
また、ルアーに釣り糸を付けるところがルアーの先端の場合やルアーの背中部に付ける場合もあるので、両方に使用できる。
【請求項４】
本考案はプラスチック素材を使用することで、ルアーの形状に合わせ大きさ、形が変えられ、透明な容器なので中のルアーの形状、色が認識できる。
【考案の詳細な説明】
【技術分野】
【０００１】本考案はルアーを使用して釣りをする場合に、釣り場にて自分が使用したいルアーの色、形状を選別し、迅速かつ安全に子供でも容易に脱着、装着ができることである。【００２】従来あるものは、ルアーの釣り針にじかに保護カバーを装着したもの、竿またはロッドにルアーごと巻きつけたものなどがあったが、本考案は、ルアー単体を保護するものである。
【特許文献１】特開公開２００２−３６０１４１公報  特許公開２００４−２４２２２公報  特許公開２００２−２３８４２８公報  特許公開２００１−１１２３９３公報
【背景技術】
【０００２】自分の子供が釣り針の糸で指の怪我をしたため。
【考案の開示】
【考案が解決とようとする課題】
従来のものは、釣り針だけを保護したり、竿などに巻きつけていた。
【課題を解決するための手段】
本考案は、ルアー単体（釣り針を含む）を覆って保護するケースである。
【考案の効果】
本考案により、ルアーを釣竿に付けてその釣竿を持っての移動、車の４中の収納、ルアー単体の収納が安全になり、ルアー本体の色や形状の確認もできる。
【考案を実施するための最良の形態】ルアーの形状、大きさに合わせ、本考案の形状、大きさを変える。大中小とサイズを設ける。
【産業上の利用可能性】本考案は単体ケースなので、従来のものは釣り針の数に合わせフックが必要であったが、個数の点でコストは下げられる。消費者も数は多く必要なくなる。
【図面の簡単な説明】透明なプラスチック素材で、形状は２つ折りになって折り、ルアー全体（釣り針を含む）を包み込むようにし、留め具は２箇所でプラスチックの凹凸を利用し、釣り糸を通す穴とつりを終えた後、そのまま収納してもよいように水抜き穴が設けてある。
【図１】全体を表示した図
【図２】前から見た図
【図３】後ろから見た図
【図４】上から見た図
【図５】開いて見た図
【図６】参考ルアー▲１▼  参考ルアー▲２▼
【符号の説明】
１．本考案本体
２．糸通し穴
３．水抜き穴（２箇所）
４．止め具（２箇所）
【図１】
0003148785.tif 000003
【図２】
0003148785.tif 000004
【図３】
0003148785.tif 000005
【図４】
0003148785.tif 000006
【図５】
0003148785.tif 000007
【図６】
0003148785.tif 000008
【手続補正書】
【提出日】平成20年9月8日(2008.9.8)
【手続補正１】
【補正対象書類名】実用新案登録請求の範囲
【補正対象項目名】全文
【補正方法】変更
【補正の内容】
【実用新案登録請求の範囲】
【請求項１】
釣り竿（ロッド）の釣り糸にルアーを付けたままの状態で、本考案はルアー全体を保護すると同時に、ルアーの針によるロッドへの傷つきを防止するルアー単体ケースである（〔図１〕）。
【請求項２】
つりが終わった後のことも考え、ルアーが濡れたままでもすぐに片付けられるように水抜き穴を２個設けた（〔図１〕〜〔図５〕の＃３）ルアー単体ケースである。
【請求項３】
また、ルアーに釣り糸を付ける際、ルアーに釣り糸の通し穴が口のあたりである先端やルアーの背びれにあたる部分に釣り糸の通し穴がある場合（〔図７の＃５〕）もあるので、両方に使用できるルアー単体ケースである。
【請求項４】
本考案はプラスチック素材を使用することで、ルアーの形状、大きさにあわせ本考案の大きさが変えられる。
透明な容器なので、本考案の中にあるルアーの形状、色が認識できるルアー単体ケースである。
【手続補正書】
【提出日】平成20年11月13日(2008.11.13)
【手続補正１】
【補正対象書類名】実用新案登録請求の範囲
【補正対象項目名】全文
【補正方法】変更
【補正の内容】
【実用新案登録請求の範囲】
【請求項１】
釣り竿の釣り糸にルアーを付けた状態のままでルアー全体を保護し、また糸から放したときも個々にルアーを保護するものであって、２つ折りで閉じるとラグビーボールのような形状で、閉じた際、左右２箇所の凹凸部分でルアーが外に出ないようにロックするルアー保護単体ケース。
【請求項２】
水抜き穴を２個設けた請求項１に記載のルアー保護単体ケース。
【請求項３】
ルアーに釣り糸を付ける際、ルアーの種類によっては魚の形をしているもので、口あたりに釣り糸の通し穴があるものや、背びれにあたる部分に釣り糸の通し穴がある場合もあるので、両方に使用できる請求項１に記載のルアー保護単体ケース。
【請求項４】
プラスチック素材を使用することで、ルアーの形状、大きさにあわせ本考案の大きさが変えられる透明な容器の請求項１に記載のルアー保護単体ケース。
(57)【要約】      （修正有）【課題】ＰＣＢ用切削工具の切れ刃とシャンク部を溶接により結合する輪状被せ式ＰＣＢ用切削工具を提供する。【解決手段】切れ刃部１とシャンク部２を備え、切れ刃部１の径をシャンク部２の径より小さく設け、切れ刃部１をシャンク部２に近づけて設けるか、またはシャンク部に貼り合わせて段差部を形成し、該段差部に溶接部材３を充填した上、高温溶接により、切れ刃部１とシャンク部２を溶接して緊密に結合させることを特徴とする。そして、結合面を大きくすることにより、溶接箇所の強度を大幅に引き上げることができる。さらに、溶接部材を輪状に被せる構造は、シャンク部２と切れ刃部１との径差による応力集中を回避すると共に、縦方向と横方向切削力の影響を軽減でき、ＰＣＢ用切削工具の寿命を延長し、切削精度を効率よく向上させることができる。【選択図】図３
0003148726.tif 000002
【実用新案登録請求の範囲】
【請求項１】
ＰＣＢ用切削工具の切れ刃部とシャンク部を溶接により結合する輪状被せ式ＰＣＢ用切削工具であって、前記切れ刃部の外縁には、プリント回路板配線板を切削するための刃部を設け、前記切れ刃部と前記シャンク部との結合側の径が、前記シャンク部の径より小さくし、かつ前記切れ刃部と前記シャンク部との間には、段差部を形成し、前記段差部に前記切れ刃部と前記シャンク部を溶接するための溶接部材を充填することを特徴とする、輪状被せ式ＰＣＢ用切削工具。
【請求項２】
前記切れ刃部と前記シャンク部との結合面において、前記シャンク部の向き側に、前刃テーパー部、延伸部を順番に研磨加工により配設すると共に、かつ前記切れ刃部と前記シャンク部に突き合わせテーパー部を形成することを特徴とする、請求項１に記載の輪状被せ式ＰＣＢ用切削工具。
【請求項３】
前記シャンク部はタングステンカーバイト超硬合金部材またはステンレス部材からなり、前記切れ刃部はタングステンカーバイト超硬合金部材からなることを特徴とする、請求項１に記載の輪状被せ式ＰＣＢ用切削工具。
【考案の詳細な説明】
【技術分野】
【０００１】
本考案は輪状被せ式ＰＣＢ用切削工具に係り、特にＰＣＢ用切削工具の切れ刃とシャンク部を溶接により結合するＰＣＢ用切削工具に関する。
【背景技術】
【０００２】
従来のプリント回路板配線板用のＰＣＢ用切削工具は、高硬度のタングステンカーバイト超硬合金部材からなる。
【０００３】
プリント回路板配線板にて切削や穴あけ作業するとき、切れ刃部の磨耗または折損してしまい、廃物になりかねない。一方、タングステンカーバイト超硬合金部材の購入コストが高いため、製造費のコストダウンができない。そのため、当該業者で工程内不良品のプリント回路板配線板用切削工具や、末端より回収した既使用品、不良品のタングステンカーバイト超硬合金部材に関するリサイクル、リユースの研究が行われている。さらに、ＰＣＢ用切削工具によるプリント回路板配線板切削のとき、縦方向と横方向の切削力影響により、折損又は切削精度が落ちるなどの問題がしばしば起きる。
【考案の開示】
【考案が解決しようとする課題】
【０００４】
そこで、本考案者は、この課題を研究テーマとして、一種の輪状被せ式ＰＣＢ用切削工具を考案した。即ち、ＰＣＢ用切削工具の切れ刃部の径をシャンク部の径より小さく設け、その段差部に溶接部材を充填することにより、ＰＣＢ用切削工具の切れ刃部とシャンク部は、輪状に被せる溶接部材によって緊密に結合し、結合面を大きくして、溶接部の強度が大幅に引き上げられる。一方、輪状による溶接部材の被せ構造は、シャンク部と刃部との間に径の差による応力集中現象は避けられる。また、縦方向と横方向の切削力影響も抑制でき、ＰＣＢ用切削工具の寿命を延長し、切削精度を引き上げることを本考案の目的とする。
【課題を解決するための手段】
【０００５】
前記の目的を達成するため、本考案によるＰＣＢ用切削工具は、切れ刃部とシャンク部を備え、該切れ刃部の径をシャンク部の径より小さく設け、かつ切れ刃部をシャンク部に近づけて設けるか、またはシャンク部に貼り合わせて、切れ刃部とシャンク部とに段差部を形成した上、溶接部材をこの段差部に充填し、高温溶接により切れ刃部とシャンク部を緊密に結合させる。
【考案を実施するための最良の形態】
【０００６】
図１ないし図３を参照する。図から明らかなように、本考案による被せ式ＰＣＢ用切削工具は、タングステンカーバイト超硬合金部材からなる切れ刃部１と、タングステンカーバイト超硬合金部材またはステンレス部材からなるシャンク部２を備え、該切れ刃部１の径をシャンク部２の径より小さく設ける。本考案によるＰＣＢ用切削工具を製造するときは、切れ刃部１をシャンク部２に近づけて設けるか、またはシャンク部２に貼り合わせて、切れ刃部１とシャンク部２とに段差部を形成した上、溶接部材３をこの段差部に充填し、高温溶接により切れ刃部１とシャンク部２を緊密に結合させる。
【０００７】
引き続き、図４を参照する。この図から明らかなように、溶接により結合された該切れ刃部１とシャンク部２は、切れ刃部１の外縁に刃部１１を研磨加工形成した上、切れ刃部１とシャンク部２の結合面をシャンク部２向きにして、前刃テーパー部１２、延伸部１３を順番に研磨加工により設けた後に、切れ刃部１とシャンク部２との結合場所に突き合わせテーパー部４を形成する。これにより、該シャンク部２は所定の切削機械に挟み込み、切れ刃部１外縁の刃部１１により、プリント回路板配線板（Ｐｒｉｎｔｅｄ  Ｃｉｒｃｕｉｔ  Ｂｏａｒｄ、ＰＣＢ）を切削加工することができる。
【０００８】
それに伴い、ＰＣＢ用切削工具の切れ刃部１とシャンク部２は、輪状に被せた溶接部材３により緊密に結合でき、結合面積を大きくし溶接部強度を大幅に引き上げることができる。また、輪状に被せた溶接部材３の構造はシャンク部２と切れ刃部１との径の違いによる応力集中が避けられるほか、縦方向と横方向切削力の影響を軽減し、ＰＣＢ用切削工具寿命を延長し、切削精度のアップに寄与できる。
【図面の簡単な説明】
【０００９】
【図１】本考案による輪状被せ式ＰＣＢ用切削工具の結合前の分解側面図である。
【図２】本考案による輪状被せ式ＰＣＢ用切削工具の結合後の側面図である。
【図３】本考案による輪状被せ式ＰＣＢ用切削工具の結合後の縦断面図である。
【図４】本考案による輪状被せ式ＰＣＢ用切削工具を加工研磨後の側面図である。
【符号の説明】
【００１０】
１    切れ刃部
１１  刃部
１２  前刃テーパー部
１３  延伸部
２    シャンク部
３    溶接部材
４    突き合わせテーパー部
【図１】
0003148726.tif 000003
【図２】
0003148726.tif 000004
【図３】
0003148726.tif 000005
【図４】
0003148726.tif 000006
(57)【要約】      （修正有）【課題】キャブレターとエアクリーナーの仕様が違う２つの製品を吸入抵抗の発生をおさえつつ装着できるキャブレター用アダプターを提供する。【解決手段】エアクリーナーカバー側大気吸入通路穴内径とキャブレター側大気放出通路穴内径との異なる内径をエアクリーナーカバー側大気吸入通路穴内径を大径にキャブレター側大気放出通路穴内径を小径にし大気通路をテーパーにしたアダプターを接続する事により、エアクリーナーカバー側大気吸入通路穴内径とキャブレター側大気放出通路穴内径との違いによる突出部を無くし大気干渉を防ぎ、キャブレターに専用品以外のエアクリーナーカバーの装着を可能とする。【選択図】図１
0003148779.tif 000002
【実用新案登録請求の範囲】
【請求項１】
デザイン全体及び穴位置関係に特徴があり、キャブレターに他種類のエアクリーナーカバー等の装着を可能とするキャブレター用アダプターである。
キャブレター側取り付け面内径とエアクリーナー取り付け面内径の違いを利用し、中心を偏心させる事により干渉を防ぐとともに、吸入領域への突出部を無くし、吸入通路内の段差や突出による吸入抵抗の増加もなくなる構造である。更に取り付けが容易で且つ吸入抵抗軽減のために極薄形状となっている。
キャブレターに本考案アダプターのみを装着した場合であっても、非装着時と比較し空気が清流されるため、キャブレター内に効率よく空気を送る事が可能な構造である。
【考案の詳細な説明】
【技術分野】
【０００１】  本考案は、キャブレターとエアクリーナーカバー等を容易に取り付けるためのアダプターに関するものである。
【背景技術】
【０００２】  キャブレターを別製品に交換をした場合などは、新たに別のエアクリーナーカバーを装着しなければならない。また、製品自体にバリエーションが少なくユーザーの選択肢は非常に限られている。
また、四輪車用に設計されている場合は、キャブレターが外気にさらされているため、二輪車に取り付けた場合、雨天時に雨が入る不具合がある。
更に、別製品を取り付けたとしても吸入抵抗が多く発生する。
【考案の開示】
【考案が解決しようとする課題】
【０００３】  解決しようとする問題点は、キャブレターとエアクリーナーの仕様が違う２つの製品を吸入抵抗の発生をおさえつつ装着すること。
【課題を解決するための手段】
【０００４】  キャブレター側取り付け面内径とエアクリーナー取り付け面内径の違いを利用し、中心を２ｍｍ偏心させる事により干渉を防ぐとともに、吸入領域への突出部を無くした。また、一体成型ボディーで面の間に取り付けベース面を設け、大気開放孔の確保と切削後加工も容易にする特徴がある。
【考案の効果】
【０００５】  本考案のアダプターは、他製品キャブレター用エアクリーナーの取り付けが可能となり、さらに吸入通路内の段差や突出による吸入抵抗増加もなくなる利点がある。
【考案を実施するための最良の形態】
【０００６】  取り付けが容易で且つ吸入抵抗を増すことなく、極力薄い形状で実現した。
【実施例】
【０００７】  図２は、非装着状態であるが、装着時は本考案のアダプターはキャブレターとエアクリーナーカバーに挟まれ、ほとんど見えなくなる。
【産業上の利用可能性】
【０００８】  本来取り付け不可能な製品を取り付け可能にすることにより、現在ある製品の汎用性が拡大する。更に、本考案のアダプターのみを使用した場合においても吸入抵抗が軽減されるため、アダプター以外の用途にも適用できる。
【図面の簡単な説明】
【０００９】
【図１】  アダプターを示した平面図及び側面図である
【図２】  アダプターの実施方法を示した説明図である。（実施例）
【図１】
0003148779.tif 000003
【図２】
0003148779.tif 000004
【手続補正書】
【提出日】平成20年3月20日(2008.3.20)
【手続補正１】
【補正対象書類名】実用新案登録請求の範囲
【補正対象項目名】全文
【補正方法】変更
【補正の内容】
【実用新案登録請求の範囲】
【請求項１】
キャブレターに他種類のエアクリーナーカバー等の装着を可能とするキャブレター用アダプター。
【手続補正書】
【提出日】平成20年7月19日(2008.7.19)
【手続補正１】
【補正対象書類名】実用新案登録請求の範囲
【補正対象項目名】全文
【補正方法】変更
【補正の内容】
【実用新案登録請求の範囲】
【請求項１】
キャブレター側取り付け面内径とエアクリーナーカバー等の取り付け面内径の違いを本考案であるアダプターの内径を偏心させる事により干渉を防ぐとともに、吸入領域への突出部を無くし、キャブレターに他種類のエアクリーナーカバー等の装着を可能とするキャブレター用アダプター。（図１及び図２参照）
【手続補正書】
【提出日】平成20年11月15日(2008.11.15)
【手続補正１】
【補正対象書類名】実用新案登録請求の範囲
【補正対象項目名】全文
【補正方法】変更
【補正の内容】
【実用新案登録請求の範囲】
【請求項１】
エアクリーナーカバー側大気吸入通路穴内径とキャブレター側大気放出通路穴内径との異なる内径をエアクリーナーカバー側大気吸入通路穴内径を大径にキャブレター側大気放出通路穴内径を小径にし大気通路をテーパーにしたアダプターを接続する事により、エアクリーナーカバー側大気吸入通路穴内径とキャブレター側大気放出通路穴内径との違いによる突出部を無くし大気干渉を防ぎ、キャブレターに専用品以外のエアクリーナーカバーの装着を可能とするキャブレター用アダプター。
(57)【要約】【課題】履き心地が良く、構造が合理的である人字形スリッパを公開する。【解決手段】靴底と、靴紐とから構成され、上記靴底に３つの靴紐の固定孔が設けられ、上記第１の靴紐の両端部がそれぞれ靴底の踵部における２つの固定孔に固定され、第１の靴紐の中間部が第２の靴紐に接続されて靴底の前縁側の固定孔に固定される。本考案は、構造が合理的でコストが低く、履き心地が良く、軽くて持運びやすいとともに、木材が消費されなく、環境に優しい。そして、快適な暮らしに役立つ。【選択図】図１
0003148709.tif 000002
【実用新案登録請求の範囲】
【請求項１】
靴底と、靴紐とから構成される人字形スリッパにおいて、
前記の靴底に３つの靴紐の固定孔が設けられ、前記の第１の靴紐の両端部がそれぞれ靴底の踵部における２つの固定孔に固定され、第１の靴紐の中間部が第２の靴紐に接続されて靴底の前縁側の固定孔に固定される
ことを特徴とする人字形スリッパ。
【請求項２】
さらに、前記の靴底の下側に滑り止め層が設けられる
ことを特徴とする請求項１に記載の人字形スリッパ。
【考案の詳細な説明】
【技術分野】
【０００１】
本考案は、スリッパに関し、特に、人字形スリッパに関する。
【背景技術】
【０００２】
スリッパは、その構造が簡単でコストが低く、履き心地が良いから、世界中に流行されている。スリッパ類の一種である日本下駄は、靴底が重くて素材が硬いため、履き心地が悪い。また、従来の下駄サンダルは、鼻緒（すなわち、靴紐）と靴底との間の結合構造が不合理的である。例えば、日本下駄はすべて靴底の固定部に１本の鼻緒で結ぶことにより固定され、さらに、その結び目を覆い隠すように、ゴム製の底面にホッチキスでとめ、不細工なものになる。これにより、スリッパの紐が脱出されやすくなり、履き心地が悪く、スリッパの寿命や機能に影響を与えることになる。したがって、当業者は、現在の技術条件に基づき、従来の下駄構造に代わって、より合理的な人字形スリッパ構造を設計するように努力している。
【考案の開示】
【考案が解決しようとする課題】
【０００３】
本考案は、従来の技術における下駄類のサンダルの履き心地が悪く、構造が不合理的な技術的課題を解決し、履き心地が良くて構造が合理的な人字形スリッパを提供することを技術的な目的とする。
【０００４】
このような技術的な目的を実現するために、本考案は下記のような技術的な手段を提案する。
【課題を解決するための手段】
【０００５】
靴底と、靴紐とから構成される人字形スリッパにおいて、上記の靴底に３つの靴紐の固定孔が設けられ、上記の第１の靴紐の両端部がそれぞれ靴底の踵部における２つの固定孔に固定され、第１の靴紐の中間部が第２の靴紐に接続され、靴底の前縁側の固定孔に固定される。
【０００６】
さらに、上記靴底の下側に滑り止め層が設けられる。
【０００７】
本考案は、伝統的な日本下駄と比べると、靴底が、柔軟性、弾力性や耐食性に優れる材料性能を有するＥＶＡ樹脂材料を採用し、生産時に一次成形されることができる。
【０００８】
また、靴底の固定孔が靴本体を貫通した後、対応する位置において靴底に対して滑り止め層を貼り付けることにより、靴紐がより固定され、外されにくくなるとともに、滑り止め層に滑り止め模様が入ったため、靴底と地面との摩擦力が大きくなる。靴底３の表面に様々なパターンを描いてもよいため、綺麗なファッションになる。構造や外観上では、日本伝統の下駄のスタイルがそのまま保存され、日本伝統の下駄文化が引継がれているが、材料上では、ＥＶＡの一次射出成形が利用されるので、環境に優しく、軽くて持運びやすく、柔らかくて履き心地が良く、かつ、材質及び製作のコストも木材より安価である。本考案は、ＥＶＡ製の下駄でもあり、伝統文化を継承すると同時に新たな材料への改善をして、新たな非木質材の下駄が形成される。
【考案の効果】
【０００９】
本考案は、構造が合理的で、コストが低くて履き心地が良く、軽くて持運びやすいとともに、木材が消費されなく、環境に優しい。
【考案を実施するための最良の形態】
【００１０】
以下、添付図面を参照しながら、本考案の具体的な実施形態を詳細に説明するが、請求の範囲に対して何らの限定もしない。
【００１１】
本考案にかかる人字形スリッパは、靴底１と、第１の靴紐１１と、第２の靴紐１２とから構成され、上記の靴底１において、靴底を貫通する３つの靴紐の固定孔が設けられ、第１の靴紐１１の両端部がそれぞれ、靴底１の踵部における２つの固定孔に固定され、第１の靴紐の中間部が第２の靴紐１２に接続されて靴底１の前縁側の固定孔に固定され、「人」字形の靴紐が一つ形成される。そして、靴底１の下側に滑り止め層２１が設けられ、上記滑り止め層に滑り止め模様が入られる。
【００１２】
本考案にかかる靴底は、柔軟性、弾力性や耐食性に優れる材料性能を有するＥＶＡ樹脂材料を採用し、生産時に一次成形されることができる。また、靴底の固定孔が靴本体を貫通した後、対応する位置において靴底に対して滑り止め層を貼り付けることにより、靴紐がより固定され、外されにくくなるとともに、滑り止め層に滑り止め模様が入ったため、靴底と地面との摩擦力が大きくなる。靴底の表面に様々なパターンを描いてもよいため、綺麗なファッションになる。
【００１３】
上述したように、本考案は、合理的な構造設計が採用され、コストが低くて履き心地がよく、軽くて持運びやすい実用的で新規なスリッパ構造である。
【図面の簡単な説明】
【００１４】
【図１】本考案の一実施形態の構造を模式的に示す上面図である。
【図２】本考案の一実施形態の構造を模式的に示す側面図である。
【図１】
0003148709.tif 000003
【図２】
0003148709.tif 000004
(57)【要約】      （修正有）【課題】既設のシャワーホースを用い洗浄器具を風呂釜内壁に衝突することなく挿入し、ノズル先端に設けた小穴より水道水を高圧拡散噴霧し風呂釜内壁と循環パイプに付着した湯泥を洗浄する家庭用風呂釜洗浄器具を提供する。【解決手段】既設のシャワーホースのシャワーヘッドを取り外し、シャワーホース６に洗浄器具１の仮付け部２を仮付けし使用する。テーパーブッシュ４はノズル３上を可動しノズル先端の風呂釜内壁衝突を防止する位置で固定したうえ、風呂釜８にノズル３を挿入する。ノズル先端外周に設けた複数の小穴５より水道水を高圧拡散噴霧することにより風呂釜内壁と循環パイプに付着した湯泥を洗浄することができる。【選択図】図１
0003148800.tif 000002
【実用新案登録請求の範囲】
【請求項１】
一端にヘッド部を設け、他端は円筒状のノズルで形成し、円筒状ノズル回周辺に移動するテーパーブッシュを設けテーパーブッシュは固定手段を設ける。円筒状ノズル先端外周上に複数の小穴を設け、ノズル先端外周より高圧水を拡散噴霧するところを特徴とする家庭用風呂釜洗浄器具。
【請求項２】
円筒状ノズル先端外周上の複数の小穴は千鳥配置する。
【考案の詳細な説明】
【技術分野】
【０００１】  本考案は、円筒状ノズル先端外周に水道水を高圧拡散噴霧する複数の小穴を設けた、家庭用風呂釜洗浄に関するものである。
【背景技術】
【０００２】  家庭用風呂釜洗浄は、特許公開平８−２６１６９２による風呂釜洗浄具が考案されている。
【考案の開示】
【考案が解決しようとする課題】
【０００３】  風呂釜内部は湯泥が付着しやすく、洗浄が困難なうえ市販の洗浄剤による洗浄は経済的負担も大きく、特許公開平８−２６１６９２による風呂釜洗浄具は、循環孔より挿入したノズル先端が風呂釜内壁に衝突する恐れがあり、前方より高圧水を風呂釜に直接噴射することにより、風呂釜の一部に水圧が集中する構造となっている。本考案は、水道水を利用することにより洗浄剤を購入する負担がなく、洗浄器具の円筒状ノズル回周上のテーパーブッシュを固定することによりノズル先端の風呂釜内壁衝突を防ぎ、円筒状ノズル先端外周に複数の子穴を設けることにより風呂釜内部に均一に高圧水を拡散噴霧することができ、前述の欠点を解決しようとするものである。
【課題を解決するための手段】
【０００４】  本考案は、水道水を用い、水道ホース口器具に仮付けするヘッド部を設け、ヘッド部と一体となった円筒状ノズルにテーパーブッシュを設け調整固定することによりノズルの風呂釜内壁への衝突を防ぎ、且つ、ノズル先端外周に複数の小穴を設けることにより、風呂釜内部へ高圧水を均一に拡散噴霧することにより問題点を解決している。
【考案の効果】
【０００５】  上述の様に、本考案の家庭用風呂釜洗浄器具は水道ホース口器具に洗浄器具を仮付けことにより容易に使用でき、テーパーブッシュを調整固定することによりノズル挿入時の風呂釜内壁への衝突を防ぎ、風呂釜循環孔中央に挿入調整でき、且つ、手元への逆流水を防ぎ、ノズル先端外周より高圧水を均一に拡散噴霧し風呂釜内部と循環パイプの湯泥を効果的に洗浄することができる。
【考案を実施するための最良の形態】
【０００６】  洗浄器具本体は、水道圧に耐える強度を持たせ高圧水の拡散噴霧ができる。ヘッド部は、汎用水道ホース口器具と互換性を持たせることにより既設の水道ホース口器具に仮付けが可能となり、ノズルは循環孔より風呂釜内壁に到達するに十分な長さとし、先端部外周上に複数の子穴を設け小穴より高圧水を拡散噴霧する。外周上小穴の位置を千鳥配置にすることにより風呂釜内部における拡散噴霧水の撹拌を可能とする。テーパーブッシュはノズル上を可動し、ノズル先端が風呂釜内壁より手前となるようテーパー部が循環孔にあたるように調整固定することによりノズルの風呂釜内壁への衝突を防止し、且つ、循環孔の中央への挿入ができ手元への逆流水を防ぐことができる。
【実施例】
【０００７】    以下、添付図面に従って実施例を説明する。１は水道圧に耐える強度のあるプラスチック等適宣素材にて形成された洗浄器具本体、２はヘッド部でねじ構造とし既存のシャワーホース６に仮付けすることにより通水可能となる。３は円筒状ノズルでヘッド部と一体となり循環孔７より風呂釜内部へ挿入する長さがある。４は自由に設定できるテーパーブッシュでノズルの風呂釜内壁衝突を防ぎ３のノズル上を可動させ風呂釜内壁までの長さを確認したのち接着剤等で固定する。４のテーパーブッシュは７の下部循環孔よりノズルを挿入したとき手元への逆流水を防止できる。５はノズル先端周上に設けた２列各４個の小穴でありシャワーホースを経由した水道水を８風呂釜の内部と１１循環パイプに高圧で拡散噴霧する。
【図面の簡単な説明】
【０００８】
【図１】本考案の家庭用風呂釜洗浄器具の一実施例を示す側面図である。
【図２】本考案の家庭用風呂釜洗浄器具の断面図である。
【符号の説明】
【０００９】    １    洗浄器具本体
２    ヘッド部
３    ノズル
４    テーパーブッシュ
５    小穴
６    シャワーホース
７    循環孔
８    風呂釜
９    風呂桶
１０  高圧拡散水
１１  循環パイプ
【図１】
0003148800.tif 000003
【図２】
0003148800.tif 000004
【手続補正書】
【提出日】平成20年11月18日(2008.11.18)
【手続補正１】
【補正対象書類名】実用新案登録請求の範囲
【補正対象項目名】全文
【補正方法】変更
【補正の内容】
【実用新案登録請求の範囲】
【請求項１】
一端にヘッド部を設け、他端は円筒状のノズルで形成し、円筒状ノズル回周辺に移動するテーパーブッシュを設けテーパーブッシュは固定手段を設けた家庭用風呂釜洗浄器具において、円筒状ノズル先端外周上に複数の小穴を設け、ノズル先端外周より高圧水を拡散噴霧するところを特徴とする家庭用風呂釜洗浄器具。
【請求項２】
前記円筒状ノズル先端外周上の前記複数の小穴は千鳥配置する、請求項１に記載の家庭用風呂釜洗浄器具。
(57)【要約】      （修正有）【課題】防水性と指向性のあるエレクトレットマイクロホンホルダーを提供する。【解決手段】エレクトレットマイクロホンホルダー１で、細い管型１ａで水の表面張力を利用し防水する。また細い管型１ａを利用し、指向性が得られた。また防振性のある合成樹脂等適宜素材で一体化成型することで、防水性と指向性と防振性の目的が得られた。【選択図】図２
0003148796.tif 000002
【実用新案登録請求の範囲】
【請求項１】
エレクトレットマイクロホンを防水するため、エレクトレットマイクロホンへの、空気口を直径０．８プラス０．１マイナス０．１の細い管型にし、水の表面張力で管の中に入らないで、空気のみを通過させることで、防水性のあるエレクトレットマイクロホンホルダー、またエレクトレットマイクロホンの側面とエレクトレットマイクロホンホルダーとの接面を空気が通過しないよう、密着させる、また接着することで、空気口からの空気を通過しないので水が入りにくい、空気口を細い管型にし、指向性のあり、防振性のある合成樹脂を使用することで、防振性のあるエレクトレットマイクロホンホルダー。
【考案の詳細な説明】
【技術分野】
【０００１】
本考案は防水型エレクトレットマイクロホンホルダーに関するものである。
【背景技術】
【０００２】
現在のエレクトレットマイクロホンは水に弱い欠点があり、布等で防水カバーをするが不完全である。
【考案の開示】
【考案が解決しようとする課題】
【０００３】
現在のエレクトレットマイクロホンは水に弱い欠点があり、この欠点を解決しようとすることを課額とする。
【課題を解決するための手段】
【０００４】
本考案はエレクトレットマイクロホンの水に弱い欠点を解決するため、エレクトレットマイクロホンの音入力ロに通ずる処を細い管型にする、水の表面張力を利用できた、またエレクトレットマイクロホンの側面を密着させることで、さらに防水性を増した、また昔入力ロに通ずる処を細い管型にすることで、指向性があり外部ノイズを減らすことができたので、本考案のエレクトレットマイクロホンホルダーで課題を解決することできた。
【考案の効果】
【０００５】
上述のように本考案はエレクトレットマイクロホンホルダーで、防水性と指向性ある効果があった。
【考案を実施するための最良の形態】
【０００６】
エレクトレットマイクロホンホルダーにエレクトレットマイクロホンの音入力部に細い管で外部と接音することで防水性と指向性ある、またエレクトレットマイクロホンホルダーは防振性があり、柔軟性ある合成樹脂等の適宣素材を一体化成型することで、最良の形態が得られた。
【実施例】
【０００７】
以下添付図面に従って一実施例を説明する、１は防振性があり、柔軟性ある合成樹脂等の適量素材を一体化成型された、エレクトレットマイクロホンホルダーである、エレクト（２）レットマイクロホンホルダーに細い管型１ａを設ける、水の表面張力を利用することで、細い管型の中に入らない、音は細い管型を通過することで、指向性がある、音源からの音のノイズを少なくする効果がある、ケースに取り付け用凹み１ｂ、エレクトレットマイクロホンホルダー１ｃ柔軟性を利用し、エレクトレットマイクロホンを密着させる、またその周りを接着することでより、防水性が良くなる。
【０００８】
２はエレクトレットマイクロホンである、エレクトレットマイクロホン２ａは出力を取り出すリード線である。
【図面の簡単な説明】
【０００９】
【図１】エレクトレットマイクロホンホルダーの上面図
【図２】エレクトレットマイクロホンホルダーの一部断面正面図
【図３】エレクトレットマイクロホンホルダーの裏面図
【符号の説明】
【００１０】
１    エレクトレットマイクロホンホルダー
２    エレクトレットマイクロホン
【図１】
0003148796.tif 000003
【図２】
0003148796.tif 000004
【図３】
0003148796.tif 000005
【手続補正書】
【提出日】平成20年10月27日(2008.10.27)
【手続補正１】
【補正対象書類名】実用新案登録請求の範囲
【補正対象項目名】全文
【補正方法】変更
【補正の内容】
【実用新案登録請求の範囲】
【請求項１】
エレクトレットマイクロホンホルダーを防水するため、エレクトレットマイクロホンへの空気口を、直径０.８ｍｍプラス０.１ｍｍマイナス０.１ｍｍの細い管型にし、水表面張力で管の中に入らないで、空気のみを通過させることで、防水性のあるエレクトレットマイクロホンホルダー、またエレクトレットマイクロホンの側面とエレクトレットマイクロホンのとの接面を密着、接着することで、より高い防水性のあるエレクトレットマイクロホンホルダー。
【手続補正書】
【提出日】平成20年12月16日(2008.12.16)
【手続補正１】
【補正対象書類名】実用新案登録請求の範囲
【補正対象項目名】全文
【補正方法】変更
【補正の内容】
【実用新案登録請求の範囲】
【請求項１】
エレクトレットマイクロホンホルダーを防水するため、エレクトレットマイクロホンへの空気口を、直径０.８ｍｍプラス０.１ｍｍマイナス０.１ｍｍの細い管型にし、水表面張力で管の中に入らないで、空気のみを通過させることで、防水性のあるエレクトレットマイクロホンホルダー。
(57)【要約】      （修正有）【課題】乗用自動車の左右両側面及び後方の死角をなくし、引火や故障等緊急の場合に容易に脱出できるようにした乗用自動車を提供する。【解決手段】乗用自動車の左右両側面に最大の６角形の窓ガラスを施したことを特徴とする乗用自動車である。これにより、乗用自動車の左右両側面及び後方の見通しを良くして事故の発生を防ぎ、緊急時には自動車のボディが邪魔になることなく脱出することができる。【選択図】図１
0003148791.tif 000002
【実用新案登録請求の範囲】
【請求項１】
乗用自動車の左右両側面に最大の６角形の窓ガラスを施した形状をもつ考案
【考案の詳細な説明】
【考案に関する分野】
【０００１】この考案は乗用自動車の左右両側面に６角の窓ガラスを施した形状をもつところの考案で乗用事故防止車に関するものである
【背景技術】
【０００２】従来の乗用自動車は４角形の窓ガラスで小さく、運転席のバックミラーからは両側面のボテに遮られ見通しが悪く死角となり、これが為左折、右折、後方等の事故の原因が多かった
又、自動車のボテが邪魔となり引火や鍵の故障等緊急の場合、脱出に時間がかかり、昨年１月幼女２名が両親の前で焼け死んだと報じられるなど欠陥もあった．これらの事故を防止する為に従来より最大限に窓ガラスをとるためこれを考案として形状を６角形となした点、従来のものと多分に異りを有する
【考案で解決する手段】
【０００３】乗用自動車の左右両側面及び後方の死角をなくするため６角形の窓ガラスを最大に配することにより、これらの方向の見通しをよくし自動車事故特に老人、子供等の事故を防ぐよう考案し解決の手段とした
又引火やドアの故障等による瞬時の脱出を容易にするなどとも解決の手段とした
【考案の効果】
【０００４】以上のごとく考案の解決により見通しをよくしたことによる事故の発生を防ぎ、又これまで自動車を物体ととらえてスピード過剰となっている現状を６角形の水晶の窓ガラスを配する事により、車全体がやわらかく走る和風カーとなり、従ってやさしい運転つまりスピードの減速を意味づけするものであり、これは女性が着物を着るとやさしくなるというのと同一の原理となり得る．
更に一番に人命を尊重する点から瞬時に車外に脱出できることがこの効果の一大目標である
窓ガラスが半開となるも冷暖房のある現在では何ら支障はない
【図面の簡単な説明】
【図１】乗用自動車の６角形の窓ガラスの左側面図である（右側面図も同一につき省略）
【符号の説明】
１．左側面図の６角形窓ガラス
【図１】
0003148791.tif 000003
【手続補正書】
【提出日】平成20年11月22日(2008.11.22)
【手続補正１】
【補正対象書類名】実用新案登録請求の範囲
【補正対象項目名】全文
【補正方法】変更
【補正の内容】
【実用新案登録請求の範囲】
【請求項１】
乗用自動車の左右両側面に最大の６角形の窓ガラスを施した形状をもつ乗用自動車
(57)【要約】      （修正有）【課題】歯茎、歯根部、ポケット、歯間を磨くことが容易な歯ブラシを提供する。【解決手段】楕円形のブラシの頭部１を柄２に対して横向きにつけ、且つ、歯ブラシの毛３の長さを、歯ブラシの先端部分は長く、柄の方に向かって次第に短くして歯ブラシを構成する。使用に当っては、歯ブラシを顔の正中線でもち、門歯部は柄を垂直に、臼歯部は斜めにして上下に磨くと、歯茎のどの部分にもブラシがほぼ正しく適合し、１−２本づつ磨けるので、乱れた歯列でも、歯茎、歯根部、ポケット、歯間を磨きやすく、特に、歯茎のマッサージを強力にできるので、歯垢、歯石、歯肉炎を予防、治療し歯を丈夫にする。【選択図】図３
0003148794.tif 000002
【実用新案登録請求の範囲】
【請求項１】
楕円形のブラシの頭部を柄に横向きにつけた、歯茎磨きを重視した歯ブラシ。
【請求項２】
歯ブラシの毛の長さを、歯ブラシの先端部分を長く、柄の方に向かって次第に短くした歯ブラシ。
【考案の詳細な説明】
【技術分野】
【０００１】    楕円形のブラシの頭部を、柄に横向きにつける。且つ、歯ブラシの毛の長さを、歯ブラシの先端部分は長く、柄の方に向かって次第に短くした歯ブラシ。
【背景技術】
【０００２】    歯磨きは、歯茎のマッサージ、歯根部、ポケット、歯間の清掃が大切であるが、一般的な歯列の方向に左右に大きく磨く歯磨き動作では、歯茎のマッサージが不十分で、とくに、乱れた歯列では困難であり、その上、歯根部が磨耗しやすく詰め物を要することも多い。とくに、上下の臼歯は一般の歯ブラシでは、上下には磨きにくいために、歯垢、歯石ができやすく、歯茎の炎症が起きやすく、門歯より早く脱落しやすい。
【考案の開示】
【考案が解決しようとする課題】
【０００３】    歯茎磨きを重視し、乱れた歯列でも歯茎、歯根部、ポケット、歯間のブラッシングを容易にする形態にして、歯垢、歯石を予防、除去し、歯茎を丈夫にし、更に、歯列方向の左右動作による歯根部の磨耗を防ぐ。
【課題を解決するための手段】
【０００４】    本案は、歯ブラシの楕円形のブラシの頭部を、柄に対し横向きにつける。且つ、歯ブラシの毛の長さを、歯ブラシの先端部分は長く、柄の方に向かって次第に短くした歯ブラシである。
【考案の効果】
【０００５】    本案歯ブラシの柄を縦に、顔の正中線で持ち、門歯付近は垂直に、臼歯部分は斜めにして磨くと、どの部分の歯にも１−２本づつブラシがほぼ均等に適合し、上下に磨くと、上顎の歯茎は押し上げられ、下顎の歯茎は押し下げられ歯茎のマッサージができる。同時に、ポケットも広げられるので歯根部も小さく左右に磨きやすい。この構造により、歯茎を重点的に、歯、歯根、ポケット、歯間を磨き易くする。
【考案を実施するための最良の形態】
【０００６】    本案実施の形態を図について説明すると、歯ブラシの楕円形のブラシの頭部１を柄２に対して横向きにつけた歯ブラシ。且つ、歯ブラシの毛３の長さを、歯ブラシの先端部分は長く、柄の方に向かって次第に短くする。
【実施例】
【産業上の利用可能性】
【図面の簡単な説明】
【０００７】
【図１】  本案の正面図
【図２】  本案の側面図
【図３】  本案の斜視図
【符号の説明】
【０００８】  １は、横向きにつけた楕円形のブラシの頭部
２は  歯ブラシの柄
３は  ブラシの毛
【図１】
0003148794.tif 000003
【図２】
0003148794.tif 000004
【図３】
0003148794.tif 000005
【手続補正書】
【提出日】平成20年11月19日(2008.11.19)
【手続補正１】
【補正対象書類名】実用新案登録請求の範囲
【補正対象項目名】全文
【補正方法】変更
【補正の内容】
【実用新案登録請求の範囲】
【請求項１】
楕円形のブラシの頭部を柄に横向きにつけた、歯茎磨きを重視した歯ブラシ。
(57)【要約】      （修正有）【課題】巻取りレバーを一定方向に回転するのみで一連の物語が構成され紙芝居を完結出来るように改良、工夫した紙芝居で、何回でも繰り返し紙芝居が出来る手動巻取り式紙芝居を提供する。【解決手段】画面の裏側の左右に、二対のローラー軸を配置し、その間にエンドレスフイルムを巡回させることにより、駆動軸を介してフイルムは巡環する。画面の巾の４倍の長さのフイルムを必要な数のガイドローラー軸で保持していることになる。画面を６面にすることは更に一対のローラー軸を増やせば可能であり、又、８面、１０面も画面の巾に対しガイドローラーのスパンを広げれば可能である。尚フイルムを常に張った状態に保つためテンショナー構造にし、押しバネ、テンションガイドを設ける。【選択図】図２
0003148799.tif 000002
【実用新案登録請求の範囲】
【請求項１】
幅広のエンドレスフイルムに、マンガ，絵画、写真等を貼り付け又は印刷した事を特徴とする手動巻取り式紙芝居装置。
【請求項２】
マンガ、絵画、写真等を貼り付け又は印刷した幅広のエンドレスフイルムを巻取りレバーを一定方向に回転させて画面が変わる請求項１記載の手動巻取り紙芝居装置。
【請求項３】
額縁として数枚のマンガ、絵画、写真が入り、紙芝居としても使用できる請求項１〜２記載の手動巻取り紙芝居装置。
【考案の詳細な説明】
【技術分野】
【０００１】  本考案は、手動式の巻取式の絵本，絵画，写真等の紙芝居用、又は額縁としての機能をも兼ねたものに関する。
【背景技術】
【０００２】  従来は、片側巻取り式のもので２〜３枚見せるものはすでに有るが、絵本，マンガ、絵画、写真等を何枚も連続して見せるものはなく、従来の紙芝居のように厚紙で絵、マンガ，絵本を描いた物を１０枚程度見せるしかなく、結構重量的にも重かった。本考案はエンドレス方式で画面を４面〜１０面内蔵可能にしたことを目的とする。
【考案の開示】
【考案が解決しようとする課題】
【０００３】  本考案は、従来の片側巻取り式の紙芝居等に改良を加えて２〜５倍のマンガ、絵本、絵画、写真等を幅広のシートに物語り順に貼付け又は印刷し、一連の紙芝居を出来るように改良、工夫した紙芝居にし、前述の欠点を解決しようとするものである。
【課題を解決するための手段】
【０００４】  本考案は、画面の裏側の左右に、二対のローラー軸を配置し、その間にエンドレスフイルムを巡回させることにより、駆動軸を介してフイルムは巡環する。つまり画面の巾の４倍の長さのフイルムを必要な数のガイドローラー軸で保持していることになる。画面を６面にすることは更に一対のガイドローラー軸を増やせば可能であり、又、８面、１０面も画面の巾に対してガイドローラー軸のスパンを広くすれば可能である。尚フイルムを常に張った状態にしておくためテンショナー構造にする事が必要である。
【考案の効果】
【０００５】  上述したように、１つの額縁が紙芝居になり子供達に紙芝居を連続的に見せても良く、又、一連のマンガ、絵本、絵画、写真などの額縁として展示でき、同時にマンガ、絵本、絵画が幅広のシートの上に貼り付けてあるので、上部のレバーを回転する事により連続して他のマンガ、絵画、写真等に変更できる効果が期待でき、尚、竪型にすることも可能である。
【考案を実施するための最良の形態】
【０００６】  以下、本考案の実施の形態を説明する。
本考案は、手動式巻取式紙芝居本体１の下部に脚４を設け、絵画又は写真の画面２の裏側の左右に、二対のガイドローラー軸７を配置し、駆動ローラー軸１０に巻取りレバー３を設け、巻取りレバー３を回転させて、エンドレスフイルム６を巡回させることにより、駆動軸を介してエンドレスフイルム６は巡回する。つまり絵画又は写真の画面の巾の４倍の長さのフイルムを必要な数のガイドローラー軸７で保持していることになる。画面を６面、８面、１０面にすることは更に一対づつガイドのローラー軸を増やすか、又は、ガイドローラーのスパンを広げれば可能である。尚エンドレスフイルム６を常に張った状態におくためテンショナー構造にし、押しバネ８、テンションガイド９を設ける。
【図面の簡単な説明】
【０００７】
【図１】  本考案の手動巻取り式の正面図。
【図２】  本考案の手動巻取り式の裏面図。
【図３】  本考案の手動巻取り式の右側面図。
【図４】  本考案の手動巻取り式の左側面図。
【図５】  本考案の手動巻取り式の平面図。
【図６】  本考案の手動巻取り式の平面詳細図。
【図７】  本考案の手動巻取り式の巻取り詳細図。
【図８】  本考案の手動巻取り式のテンショナー部一部拡大裏面詳細図。
【図９】  本考案の手動巻取り式のテンショナー部一部拡大詳細平面図。
【符号の説明】
【０００８】    １    手動巻取式紙芝居本体
２    絵画又は写真の画面
３    巻取りレバー
４    脚
５    ガラス又は樹脂板
６    絵画又は写真貼付けエンドレスフイルム
７    ガイドローラー
８    押しバネ
９    テンションガイド
１０  駆動ローラー軸
１１  切り欠き部
１２  裏蓋
【図１】
0003148799.tif 000003
【図２】
0003148799.tif 000004
【図３】
0003148799.tif 000005
【図４】
0003148799.tif 000006
【図５】
0003148799.tif 000007
【図６】
0003148799.tif 000008
【図７】
0003148799.tif 000009
【図８】
0003148799.tif 000010
【図９】
0003148799.tif 000011
【手続補正書】
【提出日】平成20年11月16日(2008.11.16)
【手続補正１】
【補正対象書類名】実用新案登録請求の範囲
【補正対象項目名】請求項１
【補正方法】変更
【補正の内容】
【請求項１】
手動巻取式紙芝居装置の厚みの内側中間部に、紙芝居装置の巾の約４倍の長さの幅広のエンドレスフイルムにマンガ、絵画、写真等を貼り付け又は印刷したエンドレスフイルムの紙芝居を設け、４本のガイドローラーを以って紙芝居装置の巾に折り返し２連にし、その折り返した側の内側に１本の手動の巻取りレバーを取付けた駆動ローラ軸を設け、そのレバーを回転する事により、マンガ、絵画、写真を貼りつけたエンドレスフイルムが動くことを特徴とする手動巻取り紙芝居装置。
【手続補正２】
【補正対象書類名】実用新案登録請求の範囲
【補正対象項目名】請求項３
【補正方法】変更
【補正の内容】
【請求項３】
額縁として数枚のマンガ、絵画、写真が入り、紙芝居としても使用できる請求項１または２記載の手動巻取り紙芝居装置。
(57)【要約】      （修正有）【課題】魚の三枚おろしが簡単にでき、右ききの人も左ききの人も使える包丁を提供する。【解決手段】左右とも鋭刃にした刃先に刃長の中間にくぼみ７を入れ、刃先２枚を平行にして先端のみ接する状態にし、魚の骨と背骨分、離れた状態を維持した包丁であり、支点６を設け刃先を上下に開閉できるようにした三枚おろし用はさみ型２枚刃包丁を提供する。【選択図】図１
0003149910.tif 000002
【実用新案登録請求の範囲】
【請求項１】
ラジオペンチの先と持ち手を変形して、先は刃にした。刃の片側は鋭刃にし片方は波型にし、幅は狭く、長さは魚の幅以上にし、刃長の中間にくぼみを入れ、刃２枚を平行にして先端で接する状態にし、魚の骨と背骨分、離れた状態を維持した包丁であり、持ち手は片方は包丁の柄の下の形状で、片方は、はさみの握り手のように親指を入れるために丸く穴をあけ、刃先を上下に開閉できるようにした三枚おろし用はさみ型２枚刃包丁。
【考案の詳細な説明】
【技術分野】
【０００１】本考案は家庭で魚を三枚おろしするための調理器具に関するものである。
【背景技術】
【０００２】今までの三枚おろしのための道具は片身を分離した後、ひっくり返してもう一枚を分離しなければならなかった。もう一枚を分離するときは、魚が平たくなり作業が大変である。刃が平らなので、背骨と骨との厚みの差で、身が骨側に残って無駄が多かった。三枚おろし用はさみは片刃で、右効きの人用、左利き用が必要であった。
【考案が解決しようとする課題】
【０００３】魚の背骨と骨との厚みの差を刃先に反映し身を骨側にできるだけ残さないようにすること。右効きの人、左利きの人に関係なく使えること。魚の骨と身の間をあまり力を入れないで移動し、三枚おろしが簡単にできること。
【考案を解決するための手段】
【０００４】  上記目的を達成するために，ラジオペンチの先と持ち手を変形して、先は左右とも鋭い刃先にする。片方は鋭刃にし、片方は鋭刃の波型にする。幅は狭く、長さは魚の幅以上にし、刃長の中間にくぼみを入る。２枚の刃先を平行にして先端のみ接する状態にし、魚の骨と背骨分が離れた状態を維持した包丁を形成する。持ち手の片方は、包丁の柄の下の形状であり、４本の指で握りやすくする。片方は、はさみの握り手のように親指を入れるために丸く穴をあけ、刃先を上下に開閉しやすくする。以上の形状を持つ、三枚おろし用はさみ型２枚刃包丁をつくる。
【考案の効果】
【０００５】魚の背骨と骨との厚みの差を刃先に反映しているので、身を骨側に残す分が少ない。両サイドが刃先なので右効きの人、左利きの人に関係なく使える。刃先２枚を平行にしていることで少ない力で三枚おろしができる。
【実施例】
【０００６】一つの方法は、魚のワタを取り除き頭と身の間に切れ目を入れる。図３の開いた状態から切れ目に本考案を骨のところまで挟み、骨に沿って前後に細かく動かしながら尻尾まで三枚におろす。二つ目の方法は、魚の頭を取った後、本考案でしっぽの際の身を挟んでそのまま、骨に沿って前後に細かく動かし切りながら三枚におろす。いずれの時もくぼみに背骨がはまる位置で包丁を前後に細かく動かし切りする。一度の移動で二枚の身が出来る。
【産業上の利用の可能性】
【０００７】昨今、家庭で魚の料理をしなくなったが、家庭で魚を三枚おろしするとフライ、てんぷらがおいしく頂けて、骨は空揚げにして食すると捨てるところがない。
【図面の簡単な説明】
【０００８】
【図１】  三枚おろし用はさみ型包丁の平面図
【図２】  三枚おろし用はさみ型包丁の正面図
【図３】  三枚おろし用はさみ型包丁の開いたときの平面図
【図４】  三枚おろし用はさみ型包丁の刃先Ａ⇔Ｂの拡大図
【符号の説明】
【０００９】１  刃
２  鋭刃
３  波刃
４  握り手（上）
５  握り手（下）
６  支点
７  くぼみ
【図１】
0003149910.tif 000003
【図２】
0003149910.tif 000004
【図３】
0003149910.tif 000005
【図４】
0003149910.tif 000006
【手続補正書】
【提出日】平成20年10月21日(2008.10.21)
【手続補正１】
【補正対象書類名】実用新案登録請求の範囲
【補正対象項目名】全文
【補正方法】変更
【補正の内容】
【実用新案登録請求の範囲】
【請求項１】
ラジオペンチの先と持ち手を変形して、先は左右とも鋭刃にした刃先にし、片方は波型にし、幅は狭く、長さは魚の幅以上にし、刃長の中間にくぼみを入れ、刃先２枚を平行にして先端で接する状態にし、魚の骨と背骨分、離れた状態を維持した包丁であり、持ち手は片方は包丁の柄の下の形状で、片方は、はさみの握り手のように親指を入れるために丸く穴をあけ、刃先を上下に開閉できるようにした三枚おろし用はさみ型２枚刃包丁。